(57)【要約】【課題】本発明は、パネルの損傷を防止することを目的とする。【解決手段】コネクタは、コネクタ本体１１と、スライダ４２と、スライダ４２をコネクタ本体１１に対し相対的に移動可能に支持するガイド部３８と、スライダ４２のコネクタ本体１１から遠ざかる方向へのスライドを許容しコネクタ本体１１から遠ざかったスライダ４２のコネクタ本体１１に戻る方向へのスライドを規制するストッパ５２と、を有する。コネクタ本体１１は、コネクタ本体１１をパネル６２への挿通方向と交差する方向へスライド可能にパネル６２に支持する第１及び第２の支持部３０，３４を含む。コネクタ本体１１は、スライダ４２がコネクタ本体１１に接近した縮小状態で穴６４に挿通され、スライダ４２がコネクタ本体１１から遠ざかった拡大状態で、穴６４内でのパネル６２に沿ったスライドが規制されて取り付けられる。【選択図】図４
2010165623.tif 000002
【特許請求の範囲】
【請求項１】
パネルに形成された穴に挿通された挿通状態で前記パネルに沿ってスライドされることで取り付けられる、端子を備えるコネクタ本体と、
前記穴への挿通状態で、前記コネクタ本体とともに穴の内側に配置され、前記パネルに沿った方向に、前記コネクタ本体に対し相対的に移動可能なスライダと、
前記スライダを前記コネクタ本体に対し相対的に移動可能に支持するガイド部と、
前記スライダの前記コネクタ本体から遠ざかる方向へのスライドを許容し、前記コネクタ本体から遠ざかった前記スライダの前記コネクタ本体に戻る方向へのスライドを規制するストッパと、
を有し、
前記コネクタ本体は、前記コネクタ本体を前記パネルへの挿通方向と交差する方向へスライド可能に前記パネルに支持する第１及び第２の支持部を含み、
前記コネクタ本体は、前記スライダが前記コネクタ本体に接近した縮小状態で前記穴に挿通され、前記スライダが前記コネクタ本体から遠ざかった拡大状態で、前記穴内での前記パネルに沿ったスライドが規制されて取り付けられることを特徴とするコネクタ。
【請求項２】
請求項１に記載されたコネクタにおいて、
前記ストッパは、前記ガイド部に向けて突出するように前記スライダに形成された第１の突起と、前記スライダに向けて突出するように前記ガイド部に形成された第２の突起と、を含み、
前記スライダが前記コネクタ本体に最も接近した位置にあるときに、前記第１の突起が前記第２の突起よりも前記コネクタ本体に接近した位置にあり、前記スライダが前記コネクタ本体から離れる方向にスライドするときに、前記第１の突起が前記第２の突起を乗り越えるように、前記第１及び第２の突起が形成されていることを特徴とするコネクタ。
【請求項３】
請求項２に記載されたコネクタにおいて、
前記第１の突起は、少なくとも前記スライダが前記コネクタ本体に最も接近した位置にあるときに、前記ガイド部によって覆われ、
前記第２の突起は、少なくとも前記スライダが前記コネクタ本体に最も接近した位置にあるときに、前記スライダによって覆われていることを特徴とするコネクタ。
【請求項４】
請求項２又は３に記載されたコネクタにおいて、
前記スライダが前記コネクタ本体に最も接近した位置にあるときの、前記第１及び第２の突起の対向面は、それぞれ、順テーパー面となっていることを特徴とするコネクタ。
【請求項５】
請求項４に記載されたコネクタにおいて、
前記スライダが前記コネクタ本体から最も離れた位置にあるときの、前記第１及び第２の突起の他の対向面は、それぞれ、前記スライダのスライド方向に対して垂直の角度又は前記順テーパー面よりも垂直に近い角度をなしていることを特徴とするコネクタ。
【請求項６】
請求項２から５のいずれか１項に記載されたコネクタにおいて、
前記スライダは、前記第２の突起の突出方向に弾性変形する弾性片を含み、
前記第１の突起は、前記弾性片に形成されていることを特徴とするコネクタ。
【請求項７】
請求項６に記載されたコネクタにおいて、
前記ガイド部は、前記スライダが前記コネクタ本体から最も離れた位置にあるときに前記第１の突起を露出させる貫通孔を有することを特徴とするコネクタ。
【請求項８】
請求項１から７のいずれか１項に記載されたコネクタにおいて、
前記コネクタ本体が前記穴の内側で前記パネルに沿った方向に移動可能であり、
前記スライダは、前記穴の内側で前記パネルに沿った方向に移動しないように、前記穴との係合部を有することを特徴とするコネクタ。
【請求項９】
請求項８に記載されたコネクタにおいて、
前記係合部は、前記スライダのスライド方向に交差する方向に突出することを特徴とするコネクタ。
【請求項１０】
請求項１から９のいずれか１項に記載されたコネクタにおいて、
前記コネクタ本体は、前記端子を備えるハウジングと、前記ハウジングを内側に収容するアダプタと、を含む複数の部品からなり、
前記アダプタが、前記第１及び第２の支持部を含み、前記ガイド部と一体的に成形されていることを特徴とするコネクタ。
【請求項１１】
請求項１から９のいずれか１項に記載されたコネクタにおいて、
前記コネクタ本体は、前記端子を備え、前記第１及び第２の支持部を含み、前記ガイド部と一体的に成形された１つの部品からなることを特徴とするコネクタ。
【発明の詳細な説明】
【技術分野】
【０００１】
本発明は、パネルの穴に取り付けるコネクタに関する。
【背景技術】
【０００２】
特許文献１には、パネルの開口にコネクタを取り付けることが開示されている。コネクタは、パネルの開口に挿入してスライド移動させる。このとき、ラッチ突起が、パネルの開口の端を越えて、ラッチアームの弾性力を以て開口に係合する。
【先行技術文献】
【特許文献】
【０００３】
【特許文献１】特開２００６−１９０６８５号公報
【発明の概要】
【発明が解決しようとする課題】
【０００４】
しかしながら、上記コネクタでは、パネルの開口の端を越えるときにラッチ突起がパネルの端を傷つけないようにするには、コネクタの着脱回数に限界があった。
【０００５】
本発明は、パネルの損傷を防止することを目的とする。
【課題を解決するための手段】
【０００６】
本発明に係るコネクタは、パネルに形成された穴に挿通された挿通状態で前記パネルに沿ってスライドされることで取り付けられる、端子を備えるコネクタ本体と、前記穴への挿通状態で、前記コネクタ本体とともに穴の内側に配置され、前記パネルに沿った方向に、前記コネクタ本体に対し相対的に移動可能なスライダと、前記スライダを前記コネクタ本体に対し相対的に移動可能に支持するガイド部と、前記スライダの前記コネクタ本体から遠ざかる方向へのスライドを許容し、前記コネクタ本体から遠ざかった前記スライダの前記コネクタ本体に戻る方向へのスライドを規制するストッパと、を有し、前記コネクタ本体は、前記コネクタ本体を前記パネルへの挿通方向と交差する方向へスライド可能に前記パネルに支持する第１及び第２の支持部を含み、前記コネクタ本体は、前記スライダが前記コネクタ本体に接近した縮小状態で前記穴に挿通され、前記スライダが前記コネクタ本体から遠ざかった拡大状態で、前記穴内での前記パネルに沿ったスライドが規制されて取り付けられることを特徴とする。
【０００７】
本発明によれば、パネルの穴にコネクタ本体を挿通して第１及び第２の支持部によってコネクタ本体を支持してコネクタを取り付けられるようになっている。また、パネルの穴の内側でスライダがコネクタ本体から遠ざかった拡大状態で、ストッパによってスライダ及びコネクタ本体が接近することが規制されるので、コネクタ本体のスライドが規制されて、パネルの穴からの抜け止めが図られる。本発明によれば、ストッパは、スライダの動きを規制するものであり、パネルには力を加えないので、パネルの損傷を防止することができる。
【０００８】
本発明の一態様では、前記ストッパは、前記ガイド部に向けて突出するように前記スライダに形成された第１の突起と、前記スライダに向けて突出するように前記ガイド部に形成された第２の突起と、を含み、前記スライダが前記コネクタ本体に最も接近した位置にあるときに、前記第１の突起が前記第２の突起よりも前記コネクタ本体に接近した位置にあり、前記スライダが前記コネクタ本体から離れる方向にスライドするときに、前記第１の突起が前記第２の突起を乗り越えるように、前記第１及び第２の突起が形成されている。
【０００９】
本発明の一態様では、前記第１の突起は、少なくとも前記スライダが前記コネクタ本体に最も接近した位置にあるときに、前記ガイド部によって覆われ、前記第２の突起は、少なくとも前記スライダが前記コネクタ本体に最も接近した位置にあるときに、前記スライダによって覆われている。
【００１０】
本発明の一態様では、前記スライダが前記コネクタ本体に最も接近した位置にあるときの、前記第１及び第２の突起の対向面は、それぞれ、順テーパー面となっている。
【００１１】
本発明の一態様では、前記スライダが前記コネクタ本体から最も離れた位置にあるときの、前記第１及び第２の突起の他の対向面は、それぞれ、前記スライダのスライド方向に対して垂直の角度又は前記順テーパー面よりも垂直に近い角度をなしている。
【００１２】
本発明の一態様では、前記スライダは、前記第２の突起の突出方向に弾性変形する弾性片を含み、前記第１の突起は、前記弾性片に形成されている。
【００１３】
本発明の一態様では、前記ガイド部は、前記スライダが前記コネクタ本体から最も離れた位置にあるときに前記第１の突起を露出させる貫通孔を有する。
【００１４】
本発明の一態様では、前記コネクタ本体が前記穴の内側で前記パネルに沿った方向に移動可能であり、前記スライダは、前記穴の内側で前記パネルに沿った方向に移動しないように、前記穴との係合部を有する。これによれば、コネクタ本体を移動させて取り付けを行うことができるので、コネクタ本体の方がスライダよりも大きいときには作業がしやすい。
【００１５】
本発明の一態様では、前記係合部は、前記コネクタ本体の前記パネルへの挿通方向に交差する方向に突出する。
【００１６】
本発明の一態様では、前記コネクタ本体は、前記端子を備えるハウジングと、前記ハウジングを内側に収容するアダプタと、を含む複数の部品からなり、前記アダプタが、前記第１及び第２の支持部を含む。
【００１７】
本発明の一態様では、前記コネクタ本体は、前記端子を備え、前記第１及び第２の支持部と前記ガイド部を含む一体的な１つの部品からなる。
【図面の簡単な説明】
【００１８】
【図１】本発明の実施の形態に係るコネクタ及び相手方コネクタを示す斜視図である。
【図２】本発明の実施の形態に係るコネクタの他の斜視図である。
【図３】本発明の実施の形態に係るコネクタの平面図である。
【図４】図３に示すコネクタのIV-IV線断面図である。
【図５】本発明の実施の形態に係るコネクタの分解斜視図である。
【図６】コネクタの一部であるスライダの拡大斜視図である。
【図７】本発明の実施の形態に係るコネクタのパネルへの取り付けを説明する図である。
【図８】図７に示すパネルの平面図である。
【図９】パネルの穴に挿通されたコネクタを示す平面図である。
【図１０】パネルの穴に挿通されたコネクタを示す側面図である。
【図１１】パネルの穴に挿通されたコネクタを示すXI-XI線断面図である。
【図１２】パネルの穴に装着されたコネクタを示す平面図である。
【図１３】パネルの穴に装着されたコネクタを示す側面図である。
【図１４】パネルの穴に装着されたコネクタを示す平XIV-XIV線断面図である。
【図１５】本発明の実施の形態に係るコネクタの変形例を説明する図である。
【発明を実施するための形態】
【００１９】
本発明の実施形態について、図面を参照しながら説明する。
【００２０】
図１は、本発明の実施の形態に係るコネクタ及び相手方コネクタを示す斜視図である。図２は、本発明の実施の形態に係るコネクタの他の斜視図である。図３は、本発明の実施の形態に係るコネクタの平面図である。図４は、図３に示すコネクタのIV-IV線断面図である。図５は、本発明の実施の形態に係るコネクタの分解斜視図である。
【００２１】
相手方コネクタ１は、オス型コネクタであって、図１では隠れた部分を含む端子２を有しており、その他の構造は周知であるため説明を省略する。
【００２２】
コネクタ１０は、コネクタ本体１１の一部としてハウジング１２を有する。ハウジング１２を端子１４（図２参照）が貫通している。ケーブル１６が端子１４に接続（圧着）されてハウジング１２から引き出されている。ハウジング１２は、相手方コネクタ１を挿入する凹部１８を有する。凹部１８内で露出した端子１４が、相手方コネクタ１の端子２の図１では隠れた部分と接触して電気的に接続される。
【００２３】
コネクタ１０は、コネクタ本体１１の他の一部としてアダプタ２０を有し、アダプタ２０にハウジング１２が取り付けられている（図４及び図５参照）。アダプタ２０にはスペース２２（貫通穴）が形成されており、そのスペース２２にハウジング１２が挿通されている。
【００２４】
端子１４を備えるハウジング１２と、ハウジング１２を内側に収容するアダプタ２０と、を含む複数の部品から、コネクタ本体１１が構成される。
【００２５】
ハウジング１２は、凹部１８の開口の周囲に第１の張り出し部２４（図５参照）を有し、第１の張り出し部２４が、アダプタ２０のスペース２２の周囲部分に当たることで挿入方向の移動が規制される。ハウジング１２は、端子１４の貫通方向（コネクタ本体１１のパネル６２（図７参照）への挿通方向）に沿って、第１の張り出し部２４から離れた位置（ケーブル１６の引き出し側）に第２の張り出し部２６を有する。アダプタ２０のスペース２２内に位置する係止片２８（図４参照）が、ハウジング１２の第２の張り出し部２６に係合することで、ハウジング１２の、挿入方向とは反対の方向への抜け止めが図られる（図４参照）。アダプタ２０のスペース２２の大きさよりもハウジング１２の外形が小さいので、ハウジング１２は、アダプタ２０内で、所定範囲で移動できるようになっている。つまり、ハウジング１２及びアダプタ２０を含むコネクタ１０は、フローティングコネクタである。
【００２６】
アダプタ２０は、パネル６２への挿通方向と交差する方向へスライド可能に、パネル６２に支持されるための第１及び第２の支持部３０，３４を有する。第１の支持部３０は、壁部２１の一部である第１の支持部３０Ａと、凸部として形成された第１の支持部３０Ｂを含む。第１の支持部３０は、端子１４の貫通方向とは交差（例えば直交）する方向であって、ハウジング１２から外方向への厚みを有する。例えば、第１の支持部３０Ａの厚みは壁部２１の厚みであり、第１の支持部３０Ｂの厚みは突出高さである。本実施の形態では、アダプタ２０は４つの第１の支持部３０（一対の第１の支持部３０Ａ及び一対の第１の支持部３０Ｂ）を有する。一対の第１の支持部３０Ａ，３０Ａ同士（又は３０Ｂ，３０Ｂ同士）が反対方向への厚みを有する。異なる一対の第１の支持部３０Ａ，３０Ｂが、間隔をあけて形成されており、それぞれ同じ（平行な）方向への厚みを有する。第１の支持部３０は、端子１４の貫通方向に沿った第１の方向Ｄ１を向く第１の面３２を有する。第１の支持部３０Ａは第１の面３２Ａを有し、第１の支持部３０Ｂは第１の面３２Ｂを有する。
【００２７】
第２の支持部３４は、一対の壁部２１の間隔に平行に突出する凸部である第２の支持部３４Ａと、これとは別の凸部である第２の支持部３４Ｂと、を含む。第２の支持部３４は、端子１４の貫通方向とは交差（例えば直交）する方向であって、第１の支持部３０とは異なる高さ位置から外方向への厚みを有する。例えば、第２の支持部３４Ａは、第１の支持部３０Ａの厚みの方向と同じ方向の厚みを有する。この厚みの方向は第１の支持部３０Ｂの突出方向でもある。第１の支持部３０及び第２の支持部３４は、上下方向に重なりあう位置にあっても、ずれていても良い。本実施の形態では、アダプタ２０は一対の第２の支持部３４Ａ及び１つの第２の支持部３４Ｂを有する。一対の第２の支持部３４Ａが反対方向に突出形成されている。第２の支持部３４Ｂは、一対の第２の支持部３４Ａの厚みと同じ（平行な）方向（一対の壁部２１の間隔と平行方向）に突出する部分と、これらの部分とは異なる方向（壁部２１の面に沿った方向）に突出する部分と、を含む。第２の支持部３４は、端子１４の貫通方向に沿って、第１の面３２よりも第１の方向Ｄ１にずれた高さ位置に、第１の方向Ｄ１とは反対の第２の方向Ｄ２を向く第２の面３６を有する。第２の支持部３４Ａは第１の面３６Ａを有し、第２の支持部３４Ｂは第１の面３６Ｂを有する。
【００２８】
アダプタ２０は、スライダ４２をコネクタ本体１１に対し相対的に移動可能に支持するガイド部３８と一体的に成形されている。ガイド部３８は、端子１４の貫通方向とは交差（例えば直交）する方向であって、第１及び第２の支持部３０，３４とは異なる位置から外方向に突出する。ガイド部３８の上下面（第１及び第２の方向Ｄ１，Ｄ２を向く面）は平行であり、左右側面は平行であって上下面に垂直に接続する。ガイド部３８は、上下面を貫通する貫通孔４０を有する。
【００２９】
アダプタ２０は、箱状をなしており、複数の面（例えば４つの面）によってスペース２２が囲まれている。スペース２２の対向する一対の面が、それぞれ、壁部２１によって区画されている。壁部２１の端面（厚みを規定する面）は、高さ方向に最も高い位置に上端面を有し、上端面よりも低い（下がった）位置に上述した第１の面３２Ａを有する。第１の面３２Ａからは、接続端面が直角に立ち上がり、曲面を以て（Ｒを付けて）上端面に接続されている。第１の面３２Ａは第１の支持部３０Ａの面である。また、壁部２１の外側にも第１の支持部３０Ｂが凸部として形成されている。第１の支持部３０Ｂは、壁部２１の一部が他の部分よりも厚くなることで形成されている。第１の支持部３０Ｂは、壁部２１の下端から形成されて上端に至らないように形成されており、第１の支持部３０Ｂの第１の面３２Ｂは、壁部２１の端面の一部である上記第１の面３２Ａと同じ高さになっている。かかる一対の壁部２１が面対象になるように配置されている。
【００３０】
スペース２２の他の面（対向する一対の面を一方で接続する面）を区画する壁部２３には、外側に、括れ部７８の上面を区画する第２の面３６Ｂを有する第２の支持部３４Ｂが凸部として形成されている。括れ部７８は、第２の面３６Ｂ及びこれに対向する面によって区画されている。
【００３１】
スペース２２のさらに他の面（対向する一対の面を他方で接続する面）を区画する壁部２５には、壁部２１の端面の一部である第１の面３２Ａと面一の面によって下面が区画された括れ部２７が形成され、この括れ部２７の上面を区画する面が第２の面３６Ａである。第２の面３６Ａは第２の支持部３４Ａの下面である。
【００３２】
図６は、コネクタの一部であるスライダの拡大斜視図である。コネクタ１０は、ガイド部３８にガイドされてスライドするスライダ４２を有する。スライダ４２は、ガイド部３８の上下面及び左右側面に対向する部分を有することでガイド部３８にガイドされる。スライダ４２には、対向する一対の係止部４４が弾性部４６の先端に形成されており、弾性部４６を反対方向に拡げて、スライダ４２をガイド部３８に取り付けるようになっている。一対の弾性部４６は、対向する壁部であり、挟んだ領域を外部から遮断している。
【００３３】
スライダ４２は、パネル６２の穴６４の内側でパネル６２に沿った方向に移動しないように、穴６４との係合部４８を有する。係合部４８は、端子１４の貫通方向及びスライダ４２のスライド方向の両方に交差する方向に突出する。言い換えると、係合部４８に隣接して窪みが形成されることで、相対的に係合部４８が凸部になっている。係合部４８がパネル６２の穴６４（図８参照）と係合することで、スライダ４２は、パネル６２の穴６４の内側でパネル６２に沿った方向に移動しない（図１２参照）。スライダ４２は、端子１４の貫通方向に沿って、第１の面３２よりも第１の方向Ｄ１にずれた高さであって第２の面３６よりも第２の方向Ｄ２にずれた高さに、スライダ４２がコネクタ本体１１から離れる方向を向く第３の面５０を有する。つまり、第３の面５０は、第１及び第２の面３２，３６の間に広がるスペースに位置する。
【００３４】
コネクタ１０は、ストッパ５２を有する。ストッパ５２は、スライダ４２のコネクタ本体１１から離れる方向へのスライドを許容し、ハウジング１２から離れたスライダ４２のハウジング１２に戻る方向へのスライドを規制する。「規制」とは、スライダ４２が全く動かないようにすることの以外に、所定の条件を満たした場合にのみスライダ４２の移動を許容することも含む。たとえば、所定の押圧力以下ではスライダ４２は移動しないが、それ以上の大きな力を作用させればスライダ４２が移動するようにストッパ５２を構成してもよい。あるいは、ストッパ５２を、何らかの方法で変形させればスライダ４２は動くように構成してもよい。
【００３５】
ストッパ５２は、第１及び第２の突起５４，５６を含む。スライダ４２に、ガイド部３８に向けて突出するように第１の突起５４が形成されている。スライダ４２は、第２の突起５６の突出方向に弾性変形する弾性片５８を含む。第１の突起５４は、弾性片５８に形成されている。第１の突起５４及び弾性片５８は、一対の弾性部４６によって挟まれた領域にあるので両側からの外力の作用が遮られている。
【００３６】
ガイド部３８に、スライダ４２に向けて突出するように第２の突起５６が形成されている。第２の突起５６も、一対の弾性部４６によって挟まれた領域にあるので両側からの外力の作用が遮られている。ガイド部３８には、第２の突起５６に隣接して、ハウジング１２の側に、窪み６０が形成されており、窪み６０に第１の突起５４が入り込んでいる。窪み６０に収納されることによって、第１の突起５４は、外力の作用が遮られる。
【００３７】
スライダ４２がコネクタ本体１１に最も接近した位置にあるときに、第１の突起５４が第２の突起５６よりもコネクタ本体１１に接近した位置にある。スライダ４２がコネクタ本体１１から離れる方向にスライドするときに、第１の突起５４が第２の突起５６を乗り越えるように、第１及び第２の突起５４，５６が形成されている。スライダ４２がコネクタ本体１１に最も接近した位置にあるときの、第１及び第２の突起５４，５６の対向面は、それぞれ、順テーパー面となっている。したがって、第１の突起５４が第２の突起５６を容易に乗り越えられるようになっている。
【００３８】
一方、スライダ４２がコネクタ本体１１から最も離れた位置にあるときの、第１及び第２の突起５４，５６の対向面は、それぞれ、スライダ４２のスライド方向に対して垂直な面となっている（図１４参照）。したがって、垂直な面同士が対向するので、スライダ４２が戻る方向では、第１の突起５４が第２の突起５６を乗り越えられないようになっている。なお、対向面は、垂直な面でなくても、ある程度の力を加えないと第１の突起５４が第２の突起５６を乗り越えられない程度の順テーパー面であってもよい。この順テーパー面の角度は、スライダ４２がコネクタ本体１１に最も接近した位置にあるときの前述した順テーパー面の角度よりも、スライダ４２のスライド方向に対して垂直に近い。
【００３９】
第１の突起５４は、少なくともスライダ４２がコネクタ本体１１に最も接近した位置にあるときに、ガイド部３８によって覆われている。第２の突起５６は、少なくともスライダ４２がコネクタ本体に最も接近した位置にあるときに、スライダ４２によって覆われている。したがって、第１及び第２の突起５４，５６が外力にさらされないようになっている。
【００４０】
スライダ４２がコネクタ本体１１から最も離れた位置にあるとき（図１４参照）に、第１の突起５４はガイド部３８の貫通孔４０から露出する。貫通孔４０から第１の突起５４を押し上げることで、第１及び第２の突起５４，５６の係合を解除してスライダ４２をコネクタ本体１１に近づけることができる。
【００４１】
図７は、本発明の実施の形態に係るコネクタのパネルへの取り付けを説明する図である。図８は、図７に示すパネルの平面図である。
【００４２】
パネル６２は、文字通りの平面プレートに限らず、凹凸や厚みの変化がある板材であってもよいし、電子機器などのハウジングの一部であってもよい。パネル６２には穴６４が形成されている。穴６４は、その内側にコネクタ本体１１を挿通可能な形状であって、内側でコネクタ本体１１をパネルに沿った方向に移動可能な形状である。
【００４３】
穴６４は、コネクタ本体１１を挿通したときに第１の支持部３０（第１の面３２）に対向する第１の縁部６６を有する。つまり、穴６４は、第１の支持部３０が通らない形状になっている。第１の縁部６６は、第１の縁部６６Ａ及び第２の縁部６６Ｂを含む。凸部としての第１の支持部３０Ｂの第１の面３２Ｂに対向する第１の縁部６６Ｂは直線のエッジを有するが、壁部２１の端面としての第１の面３２Ａに対向する第１の縁部６６Ａは、穴６４の内側への凸部になっている。
【００４４】
穴６４は、第２の支持部３４を挿通することができる第２の縁部６８を有する。第２の縁部６８は、第２の支持部３４よりもわずかに大きい空間を区画する形状になっている。第２の縁部６８は、第２の縁部６８Ａ及び第２の縁部６８Ｂを含む。コネクタ本体１１のスライド方向とは交差する方向に突出する凸部としての第２の支持部３４Ａを挿通する第２の縁部６８Ａは凹部になっている。一方、コネクタ本体１１のスライド方向に突出する凸部としての第２の支持部３４Ｂを挿通する第２の縁部６８Ｂは、第２の支持部３４Ｂの角部に対応した角形状になっている。
【００４５】
穴６４は、係合部４８を内側に配置できるように、係合部４８の第３の面５０に対向する第３の縁部７０と、係合部４８の第３の面５０とは反対を向く第４の面７２に対向する第４の縁部７４と、を有する。つまり、第３及び第４の縁部７０，７４の間に係合部４８を配置することができる。第３及び第４の縁部７０，７４によって、穴６４には凹部が形成される。
【００４６】
穴６４は、第３の縁部７０に対向する切り欠き７６を有する。アダプタ２０のスライダ４２とは反対の側面に括れ部７８が形成されており、切り欠き７６は、括れ部７８に対応した形状になっている。なお、括れ部７８は第２の支持部３４Ｂの下に形成されている。
【００４７】
図９〜図１１は、それぞれ、パネルの穴に挿通されたコネクタを示す平面図、側面図及びXI-XI線断面図である。
【００４８】
スライダ４２がコネクタ本体１１に接近した縮小状態でコネクタ本体１１を穴６４に挿通する。凹部１８の開口する側からパネル６２の穴６４（図７及び図８参照）にコネクタ本体１１を挿通する。詳しくは、第２の支持部３４を第２の縁部６８の内側で通過させ、係合部４８を第３及び第４の縁部７０，７４の間に配置し、第１の支持部３０（第１の面３２）を第１の縁部６６に接触させる。パネル６２は、第１及び第２の面３２，３６の間の位置にくる。パネル６２の穴６４に挿通するときのコネクタ１０は、ストッパ５２を構成する第１及び第２の突起５４，５６が、それぞれ、ガイド部３８及びスライダ４２によって相互に覆われている。したがって、コネクタ１０を梱包するなどの作業時に、コネクタ１０が重ねって収納されたときに、第１及び第２の突起５４，５６に外力が加えられてもこれらの変形することを防止できる。
【００４９】
図１２〜図１４は、それぞれ、パネルの穴に装着されたコネクタを示す平面図、側面図及びXIV-XIV線断面図である。
【００５０】
図９の状態にあるコネクタ１０は、コネクタ本体１１を図１２に示すように移動させることでパネル６２に装着する。詳しくは、コネクタ本体１１をパネル６２の表面に沿った方向にスライドさせることで、第２の支持部３４（第２の面３６）を、パネル６２の穴６４の第２の縁部６８のうちスライド方向側（図８で左側）の部分に接触させる。例えば、スライド方向に突出する第２の支持部３４Ｂは、穴６４のスライド方向（左方向）の端部に係合する。また、スライド方向に交差する方向に突出する第２の支持部３４Ａは、凹部となった第２の縁部６８Ａのスライド方向側（左側）で第１の縁部６６Ａと隣接する部分に係合する。
【００５１】
第１の支持部３０（第１の面３２）もパネル６２の穴６４の第１の縁部６６及びこれに隣接する部分に接触している。したがって、パネル６２の穴６４の縁部が第１及び第２の支持部３０，３４の間に挟まれるのでコネクタ１０がパネル６２に装着される。第１及び第２の支持部３０，３４は、コネクタ本体１１をパネル６２への挿通方向と交差する方向へスライド可能にパネル６２に支持する。
【００５２】
また、コネクタ１０の抜け止めが図られる。抜け止めは、パネル６２の穴６４の内側でコネクタ１０全体の外形を拡大し、形状が元に戻らないようにすることで図られる。詳しくは、スライダ４２又はコネクタ本体１１を相互に離れる方向にスライドさせる。スライダ４２又はコネクタ本体１１は、穴６４への挿通状態で、パネル６２に沿った方向に移動可能になっている。スライダ４２自体をスライドさせてもよいが、本実施の形態では、コネクタ本体１１をスライドさせる。
【００５３】
詳しくは、パネル６２の穴６４の第４の縁部７４が、スライダ４２の係合部４８に対向しているので、コネクタ本体１１をスライダ４２とは反対方向にスライドさせると、スライダ４２の移動が第４の縁部７４によって規制されて、相対的にコネクタ本体１１から離れる方向にスライダ４２がスライドする。
【００５４】
このとき、第１及び第２の突起５４，５６の対向面が、それぞれ、順テーパー面となっているので、スライダ４２のスライドは許容される。一方、スライダ４２がスライドした後の、第１及び第２の突起５４，５６の対向面は、それぞれ、スライダ４２のスライド方向に対して垂直な面となっている。したがって、スライダ４２は戻らないようになっている。ただし、ガイド部３８の貫通孔４０を通して第１の突起５４を押し上げることでスライダ４２を戻すことができる。
【００５５】
あるいは、スライド後の第１及び第２の突起５４，５６の対向面が、垂直な面に近いとはいうものの垂直な面ではなく、順テーパー面であれば、ある程度以上の力を加えることでスライダ４２を戻すことができる。
【００５６】
コネクタ１０は、スライダ４２がコネクタ本体１１から遠ざかった拡大状態で、穴６４内でのパネル６２に沿ったスライドが規制されて取り付けられる。
【００５７】
本実施の形態によれば、第１及び第２の突起５４，５６を含むストッパ５２は、スライダ４２の動きを規制するものであり、パネル６２には力を加えないので、パネル６２の損傷を防止することができる。
【００５８】
図１５は、本発明の実施の形態に係るコネクタ１０の変形例を説明する図である。変形例に係るコネクタは、コネクタ本体１１２が、ハウジング及びアダプタが一体化したものである点で、上記実施の形態と相違する。
【００５９】
上記実施の形態では、第１及び第２の支持部３０，３４並びにガイド部３８がアダプタ２０に形成されており、これらは、ハウジング１２に対して、所定の範囲では相対的に移動するようになっている。これに対して、図１５に示す例では、ハウジング及びアダプタが一体的になっているので、全体をコネクタ本体１１２と定義することができる。その場合、当然に、第１及び第２の支持部１３０，１３４並びにガイド部１３８の位置がコネクタ本体１１２に対して固定されていることになる。つまり、コネクタ本体１１２は、上述した端子１４（図２参照）を備え、第１及び第２の支持部１３０，１３４を含む一体的な１つの部品からなる。この相違に伴って形状の違いはあるが、それ以外の詳細は上述した内容が該当する。
【００６０】
本発明は、上述した実施の形態に限定されるものではなく種々の変形が可能である。例えば、実施の形態で説明した構成は、実質的に同一の構成、同一の作用効果を奏する構成又は同一の目的を達成することができる構成で置き換えることができる。
【符号の説明】
【００６１】
Ｄ１  第１の方向、Ｄ２  第２の方向、１  相手方コネクタ、２  端子、１０  コネクタ、１１  コネクタ本体、１２  ハウジング、１４  端子、１６  ケーブル、１８  凹部、２０  アダプタ、２１  壁部、２２  スペース、２３  壁部、２４  第１の張り出し部、２５  壁部、２６  第２の張り出し部、２８  係止片、３０  第１の支持部、３０Ａ  第１の支持部、３０Ｂ  第１の支持部、３２  第１の面、３２Ａ  第１の面、３２Ｂ  第１の面、３４  第２の支持部、３４Ａ  第２の支持部、３４Ｂ  第２の支持部、３６  第２の面、３６Ａ  第２の面、３６Ｂ  第２の面、３８  ガイド部、４０  貫通孔、４２  スライダ、４４  係止部、４６  弾性部、４８  係合部、５０  第３の面、５２  ストッパ、５４  第１の突起、５６  第２の突起、５８  弾性片、６０  窪み、６２  パネル、６４  穴、６６  第１の縁部、６６Ａ  第１の縁部、６６Ｂ  第１の縁部、６８  第２の縁部、６８Ａ  第２の縁部、６８Ｂ  第２の縁部、７０  第３の縁部、７２  第４の面、７４  第４の縁部、７６  切り欠き、７８  括れ部、１１２  コネクタ本体、１３０  第１の支持部、１３４  第２の支持部、１３８  ガイド部。
【図１】
2010165623.tif 000003
【図２】
2010165623.tif 000004
【図３】
2010165623.tif 000005
【図４】
2010165623.tif 000006
【図５】
2010165623.tif 000007
【図６】
2010165623.tif 000008
【図７】
2010165623.tif 000009
【図８】
2010165623.tif 000010
【図９】
2010165623.tif 000011
【図１０】
2010165623.tif 000012
【図１１】
2010165623.tif 000013
【図１２】
2010165623.tif 000014
【図１３】
2010165623.tif 000015
【図１４】
2010165623.tif 000016
【図１５】
2010165623.tif 000017